(57)【要約】【課題】ケーブルガイドを安定性良くバッキングプレートに位置決めできるドラムブレーキ装置を得る。【解決手段】ドラムブレーキ装置１０のバッキングプレート１１のケーブル挿通穴１２の周縁には、ケーブル挿通穴１２を形成する際に一部を切り起こして形成したガイド支持片１５が一体形成され、該ガイド支持片１５がケーブル挿通穴１２に挿通されるケーブルガイド１３の外周面に面接触してケーブルガイド１３を支える。【選択図】図１
2008223853.tif 000002
【特許請求の範囲】
【請求項１】
バッキングプレートに貫通形成されたケーブル挿通穴に、前記ケーブル挿通穴に挿通されるケーブルを所定方向に案内するケーブルガイドが取り付けられるドラムブレーキ装置であって、
前記バッキングプレートの前記ケーブル挿通穴の周縁にはガイド支持片が一体形成され、該ガイド支持片が前記ケーブル挿通穴に挿通される前記ケーブルガイドの外周面に面接触して前記ケーブルガイドを支えることを特徴とするドラムブレーキ装置。
【請求項２】
前記ガイド支持片が、前記ケーブル挿通穴を形成する際に前記バッキングプレートの一部を切り起こして形成されることを特徴とする請求項１に記載のドラムブレーキ装置。
【請求項３】
前記ケーブルガイドの一端には、前記バッキングプレートに面接触する折曲げ片が一体形成され、該折曲げ片による面接触部と、前記ガイド支持片による面接触部とをそれぞれスポット溶接することで、ケーブルガイドがバッキングプレートに固着されていることを特徴とする請求項１または２に記載のドラムブレーキ装置。
【発明の詳細な説明】
【技術分野】
【０００１】
本発明は、ドラムブレーキ装置に関し、特に、バッキングプレートに貫通形成されたケーブル挿通穴に固着されて該ケーブル挿通穴に挿通されるケーブルを所定方向に案内するケーブルガイドの取付構造の改良に関する。
【背景技術】
【０００２】
車両に搭載されるドラムブレーキ装置では、バッキングプレート上に配置される一対のブレーキシューを拡開するブレーキレバーを、ケーブルにより操作するようにしたものがある。その場合に、ブレーキレバーに連結されるケーブルは、バッキングプレートに貫通形成されたケーブル挿通穴を通して、一端が前記ブレーキレバーに、他端が車両の運転席の操作部に連結されることになる。
【０００３】
このようなドラムブレーキ装置では、ケーブルがバッキングプレートに形成したケーブル挿通穴の縁に引っ掛からないように、ケーブル挿通穴に曲げパイプ状のケーブルガイドを装備する。
【０００４】
図４は従来のドラムブレーキ装置におけるバッキングプレートとケーブルガイドの取付状態を示す正面図、図５は図４のＡ−Ａ断面図である。
一対のブレーキシューが拡開可能に配置される金属板製のバッキングプレート１には、長円形のケーブル挿通穴２が貫通形成されている。
【０００５】
ケーブル挿通穴２に装備されるケーブルガイド３は、金属製で、ケーブル挿通穴２を挿通してバッキングプレート１の裏面側の所定方向に不図示のケーブルを案内する円筒状部分４と、この円筒状部分４の一部の周壁を切除した断面構造でバッキングプレート１の表面側に延出してバッキングプレート１上の所定方向に不図示のケーブルを案内するプレート側案内部５とを有している。
【０００６】
従来のドラムブレーキ装置では、ケーブルガイド３は、図５に示すように、ケーブル挿通穴２の長径方向の両端の円弧部のそれぞれにケーブルガイド３の外周を当接させることで所定の傾斜状態に位置決めし、その位置決め状態で外周の一部を図４に示すようにバッキングプレート１にアーク溶接する溶着部７とすることで、バッキングプレート１に固着させていた（例えば、特許文献１参照）。
【０００７】
【特許文献１】実開昭６１−１１４１３２号公報
【発明の開示】
【発明が解決しようとする課題】
【０００８】
ところが、従来のケーブルガイド３の取付構造では、バッキングプレート１とケーブルガイド３との接触が点接触又は線接触で、位置決め時の安定感が低いため、ケーブルガイド３をアーク溶接する際にケーブルガイド３が動いて、ケーブルガイド３の取付精度にばらつきを生じる虞があった。
【０００９】
また、アーク溶接時にバッキングプレート１に付着したスパッタによる盛り上がりが、バッキングプレート１上でのブレーキシューの摺動に影響を及ぼさないように、アーク溶接処理後に、余分なスパッタを除去する後処理工程（スパッタ取り工程）が必要になり、この後処理工程のためにドラムブレーキ装置の製造工程が増えて生産性の低下を招くという問題もあった。
【００１０】
本発明の目的は上記課題を解消することに係り、ケーブルガイドを安定性良くバッキングプレートに位置決めできるドラムブレーキ装置を提供することにある。
【課題を解決するための手段】
【００１１】
上記目的は下記構成により達成される。
（１）本発明に係るドラムブレーキ装置は、バッキングプレートに貫通形成されたケーブル挿通穴に、前記ケーブル挿通穴に挿通されるケーブルを所定方向に案内するケーブルガイドが取り付けられるドラムブレーキ装置であって、
前記バッキングプレートの前記ケーブル挿通穴の周縁にはガイド支持片が一体形成され、該ガイド支持片が前記ケーブル挿通穴に挿通される前記ケーブルガイドの外周面に面接触して前記ケーブルガイドを支えるよう構成する。
【００１２】
（２）上記（１）に記載の構成で、前記ガイド支持片が、前記ケーブル挿通穴を形成する際に前記バッキングプレートの一部を切り起こして形成される。
【００１３】
（３）上記（１）または（２）に記載の構成で、前記ケーブルガイドの一端には、前記バッキングプレートに面接触する折曲げ片が一体形成され、該折曲げ片による面接触部と、前記ガイド支持片による面接触部とをそれぞれスポット溶接することで、ケーブルガイドがバッキングプレートに固着されている。
【発明の効果】
【００１４】
上記に記載のドラムブレーキ装置では、ケーブルガイドに面接触して該ケーブルガイドを支えるガイド支持片が設けられたことで、ケーブルガイドを安定性良くバッキングプレートに位置決めできるため、ケーブルガイドの取付精度を向上させることができる。
【発明を実施するための最良の形態】
【００１５】
以下、本発明に係るドラムブレーキ装置の好適な実施の形態について、図面を参照して詳細に説明する。
図１は本発明に係るドラムブレーキ装置の一実施の形態のバッキングプレートとケーブルガイドの取付状態を示す正面図、図２は図１のＢ−Ｂ断面図、図３は図２のＣ矢視図である。
【００１６】
この一実施の形態のドラムブレーキ装置１０は、不図示の一対のブレーキシューが拡開可能に配置される金属板製のバッキングプレート１１に長円形のケーブル挿通穴１２が貫通形成され、このケーブル挿通穴１２に金属製のケーブルガイド１３が取り付けられる。
【００１７】
本実施の形態の場合、ケーブル挿通穴１２の周縁には、ケーブル挿通穴１２を形成する際に一部を切り起こして形成したガイド支持片１５が一体形成されている。このガイド支持片１５は、図３に示すように、該ガイド支持片１５がケーブル挿通穴１２に挿通されるケーブルガイド１３の外周面に面接触する円弧状に成形されていて、面接触によりケーブルガイド１３を安定支持する。
【００１８】
ケーブルガイド１３は、金属製で、バッキングプレート１上のブレーキシューの拡開操作のためにケーブル挿通穴１２に挿通される不図示のケーブル（ブレーキワイヤ）がケーブル挿通穴１２に縁に引っ掛からないように、所定方向に案内する。
【００１９】
本実施の形態のケーブルガイド１３は、ケーブル挿通穴１２を挿通してバッキングプレート１１の裏面側の所定方向に不図示のケーブルを案内する円筒状部分１７と、この円筒状部分１７の一部の周壁を切除した断面構造でバッキングプレート１１の表面側に延出してバッキングプレート１１上の所定方向に不図示のケーブルを案内するプレート側案内部１８と、このプレート側案内部１８の先端から延出してバッキングプレート１１に面接触する折曲げ片１９と、が一体形成されている。
【００２０】
そして、折曲げ片１９によるバッキングプレート１１との面接触部と、ガイド支持片１５によるケーブルガイド１３との面接触部とをそれぞれスポット溶接２１することで、ケーブルガイド１３がバッキングプレート１１に固着されている。
【００２１】
以上に説明した本実施の形態のドラムブレーキ装置１０では、ケーブルガイド１３に面接触して該ケーブルガイド１３を支えるガイド支持片１５が設けられたことで、ケーブルガイド１３を安定性良くバッキングプレート１１に位置決めできるため、ケーブルガイド１３の取付精度を向上させることができる。
また、手間のかかるスパッタ取り工程が必要となるアーク溶接を使わずに、ガイド支持片１５による面接触部をスポット溶接することによって、容易且つ強固にケーブルガイド１３をバッキングプレート１１に固着させることができるため、アーク溶接を使っていた従来の場合と比較すると、溶接後の後処理工程の省略による生産性の向上を実現することもできる。
【００２２】
更に、本実施の形態のドラムブレーキ装置１０の場合は、ケーブルガイド１３をバッキングプレート１１に取り付ける際、ケーブルガイド１３は、該ケーブルガイド１３に一体の折曲げ片１９による面接触部と、バッキングプレート１１に一体のガイド支持片１５による面接触部との２箇所の面接触によってより安定した位置決めが可能になり、また、それらの２箇所の面接触部をそれぞれスポット溶接２１することで、より強固にバッキングプレート１１に固着することが可能になる。
【図面の簡単な説明】
【００２３】
【図１】本発明に係るドラムブレーキ装置の一実施の形態を示す正面図である。
【図２】図１のＢ−Ｂ断面図である。
【図３】図２のＣ矢視図である。
【図４】従来のドラムブレーキ装置におけるケーブルガイドの取付状態を示す正面図である。
【図５】図４のＡ−Ａ断面図である。
【符号の説明】
【００２４】
１０  ドラムブレーキ装置
１１  バッキングプレート
１２  ケーブル挿通穴
１３  ケーブルガイド
１５  ガイド支持片
１７  円筒状部分
１８  プレート側案内部
１９  折曲げ片
２１  スポット溶接
【図１】
2008223853.tif 000003
【図２】
2008223853.tif 000004
【図３】
2008223853.tif 000005
【図４】
2008223853.tif 000006
【図５】
2008223853.tif 000007